Podtech/llm-jp-corpus-v4-ja_patent huggingface dataset:
(57)【要約】【課題】曝気風量を細かく調整することができる曝気攪拌装置を提供すること。【解決手段】回転する中空軸１の先端にスクリュー２を設け、このスクリュー２の回転により攪拌水流を発生させるとともに、攪拌水流に伴う負圧により中空軸１を介して水中に空気を曝気するようにした曝気攪拌装置において、中空軸１に空気が流入する空気取入口３に、曝気風向４と逆向きの逆向風を発生し、この逆向風の風量により曝気風量を調整する排風ファン５を設ける。【選択図】図１
2007050353.tif 000002
【特許請求の範囲】
【請求項１】
回転する中空軸の先端にスクリューを設け、該スクリューの回転により攪拌水流を発生させるとともに、該攪拌水流に伴う負圧により中空軸を介して水中に空気を曝気するようにした曝気攪拌装置において、中空軸に空気が流入する空気取入口に、曝気風向と逆向きの逆向風を発生し、該逆向風の風量により曝気風量を調整する排風ファンを設けたことを特徴とする曝気攪拌装置。
【請求項２】
排風ファンを可変電圧可変周波数制御方式としたことを特徴とする請求項１記載の曝気攪拌装置。
【発明の詳細な説明】
【技術分野】
【０００１】
本発明は、曝気攪拌装置に関し、特に、曝気風向と逆向きの逆向風を発生させることにより、曝気風量を細かく調整することができる曝気攪拌装置に関するものである。
【背景技術】
【０００２】
汚水中の有機物質を除去する処理装置として、汚水を攪拌し、かつ曝気作用にて好気性にて処理する曝気攪拌装置がある。
【０００３】
この曝気攪拌装置は、回転する中空軸の先端にスクリューを設け、該スクリューの回転により攪拌水流を発生させるとともに、該攪拌水流に伴う負圧により中空軸を介して水中に空気を導入するようにしている。
【０００４】
ところで、従来の曝気攪拌装置の風量調整は、電動弁による全開と全閉のみであるため、曝気時は全開の風量により運転を行っており、曝気風量を細かく調整することができなかった。
【発明の開示】
【発明が解決しようとする課題】
【０００５】
本発明は、上記従来の曝気攪拌装置が有する問題点に鑑み、曝気風量を細かく調整することができる曝気攪拌装置を提供することを目的とする。
【課題を解決するための手段】
【０００６】
上記目的を達成するため、本発明の曝気攪拌装置は、回転する中空軸の先端にスクリューを設け、該スクリューの回転により攪拌水流を発生させるとともに、該攪拌水流に伴う負圧により中空軸を介して水中に空気を曝気するようにした曝気攪拌装置において、中空軸に空気が流入する空気取入口に、曝気風向と逆向きの逆向風を発生し、該逆向風の風量により曝気風量を調整する排風ファンを設けたことを特徴とする。
【０００７】
この場合において、排風ファンを可変電圧可変周波数制御方式（ＶＶＶＦ制御方式）とすることができる。
【発明の効果】
【０００８】
本発明の曝気攪拌装置によれば、回転する中空軸の先端にスクリューを設け、該スクリューの回転により攪拌水流を発生させるとともに、該攪拌水流に伴う負圧により中空軸を介して水中に空気を曝気するようにした曝気攪拌装置において、中空軸に空気が流入する空気取入口に、曝気風向と逆向きの逆向風を発生し、該逆向風の風量により曝気風量を調整する排風ファンを設けることから、排風ファンの回転数を制御することにより、曝気風量を細かく調整することができる。
【０００９】
また、排風ファンを可変電圧可変周波数制御方式（ＶＶＶＦ制御方式）とすることにより、排風ファンを無段階に制御し、曝気風量を無段階に調整することができる。
【発明を実施するための最良の形態】
【００１０】
以下、本発明の曝気攪拌装置の実施の形態を、図面に基づいて説明する。
【実施例１】
【００１１】
図１に、本発明の曝気攪拌装置の第１実施例を示す。
この曝気攪拌装置は、回転する中空軸１の先端にスクリュー２を設け、該スクリュー２の回転により攪拌水流を発生させるとともに、該攪拌水流に伴う負圧により中空軸１を介して水中に空気を曝気するようにしている。
そして、この曝気攪拌装置は、中空軸１に空気が流入する空気取入口３に、曝気風向４と逆向きの逆向風を発生し、該逆向風の風量により曝気風量を調整する排風ファン５を設けている。
【００１２】
中空軸１は、該中空軸１を駆動するモータＭを貫通するとともに、モータＭの後方に拡径部を形成して空気取入口３となし、この空気取入口３に排風ファン５を配設している。
また、図２に示すように、中空軸１とモータＭをカバー６で被覆するとともに、中空軸１の周面に空気吸込口７を形成するような場合は、カバー６の後部を空気取入口３として、この空気取入口３に排風ファン５を配設することができる。
【００１３】
この曝気攪拌装置は、通常の曝気運転時は排風ファン５を停止し、スクリュー２の攪拌水流に伴う負圧により、中空軸１を介して水中に空気を曝気する。
曝気風量を調整する場合は、排風ファン５を曝気風向４と逆向きの逆向風を発生するように回転させ、曝気風量を低減するが、排風ファン５を可変電圧可変周波数制御方式（ＶＶＶＦ制御方式）とすることにより、排風ファン５を無段階に制御し、曝気風量を無段階に調整することができる。
【００１４】
かくして、本実施例の曝気攪拌装置は、回転する中空軸１の先端にスクリュー２を設け、該スクリュー２の回転により攪拌水流を発生させるとともに、該攪拌水流に伴う負圧により中空軸１を介して水中に空気を曝気するようにした曝気攪拌装置において、中空軸１に空気が流入する空気取入口３に、曝気風向４と逆向きの逆向風を発生し、該逆向風の風量により曝気風量を調整する排風ファン５を設けることから、排風ファン５の回転数を制御することにより、曝気風量を細かく調整することができる。
そして、排風ファン５を可変電圧可変周波数制御方式（ＶＶＶＦ制御方式）とすることにより、排風ファン５を無段階に制御し、曝気風量を無段階に調整することができる。
【００１５】
以上、本発明の曝気攪拌装置について、その実施例に基づいて説明したが、本発明は上記実施例に記載した構成に限定されるものではなく、実施例に記載した構成を適宜組み合わせるなど、その趣旨を逸脱しない範囲において適宜その構成を変更することができる。
【産業上の利用可能性】
【００１６】
本発明の曝気攪拌装置は、曝気風向と逆向きの逆向風を発生させることにより、曝気風量を細かく調整することができるという特性を有していることから、各種用途の曝気攪拌装置として好適に用いることができる。
【図面の簡単な説明】
【００１７】
【図１】本発明の曝気攪拌装置の第１実施例を示す断面図である。
【図２】本発明の曝気攪拌装置の第２実施例を示す断面図である。
【符号の説明】
【００１８】
１    中空軸
２    スクリュー
３    空気取入口
４    曝気風向
５    排風ファン
６    カバー
７    空気吸込口
Ｍ    モータ
【図１】
2007050353.tif 000003
【図２】
2007050353.tif 000004
(57)【要約】【課題】    尿検査などで用いる樹脂製試験管の栓を外す場合、栓を外すのが堅いため、数本外しただけで、検査用手袋をしていても手が痛くなったり、検査本数が多い時は手の皮がむけたりする不具合と、ある程度の作業後すぐに手先が破けて、尿が付着した栓を素手で触れなければならない衛生的な不具合の２点を解決すること。【解決手段】  試験管の栓上端の凹みを利用し、そこに挿入するのに少し抵抗のある外径の多角形状の筒もくは円筒状の先端をした図４符号７の先端部を図４符号２の栓の凹みに挿入し、てこの原理にて、支点を栓の凹みのあたりとし、符号５の本体を持ち試験管より栓を容易に外す事が出来る。また挿入時に抵抗があったため、栓が付いたまの先端部を、図４符号４の中心の棒を後端部の側より中に押し込む事で、手を触れずして栓を落とすことが出来、これらの課題を解決する。【選択図】      図４
2007050395.tif 000002
【特許請求の範囲】
【請求項１】
多角形筒状又は円筒形状の先端部で、試験管の栓の凹みに挿入時に少し抵抗があるような外径をしたことを特徴とする、栓脱着器
【請求項２】
多角形筒状又は円筒形状の先端部中心より、棒などの突起物が出てくることを特徴とした栓脱着器。
【発明の詳細な説明】
【技術分野】
【０００１】  本発明は、医療用の主に尿検査で用いる樹脂製試験管等に関するものであり、巡回検診等の現場での検査時に試験管の栓を、工夫した栓脱着器を用い容易に、かつ衛生的に脱着し、検査の効率化を図るものである。
【背景技術】
【０００２】  従来より巡回検診、検査等では手で栓をつまみ取ることで蓋をはずしていた。その他の文献等は不明。
【発明の開示】
【発明が解決使用とする課題】
【０００３】  しかし、従来のように手で栓を外すと、栓が固く試験管に挿入されているため数本外すだけで手が痛くなったり、検査件数の多い現場では手の皮がむけるなどの障害が発生し効率も非常に悪くなっていた（図１参照）。また医療用ラテックス製手袋等をして作業しても上記と同様で、件数が多いと手袋が破け、栓に付着した尿が手指に直接付着するなど衛生面でも問題が発生していた。本発明はこのような手指の負傷、不衛生、悪効率を解決し、試験管と栓を破損することなく、栓を外すことを課題とする。
【課題を解決するための手段】
【０００４】  この課題解決するための請求項１の発明は、栓脱着器の先端が多角形筒状もしくは円筒形状をしており、この先端の外径は樹脂製試験管の栓の中央の円形の凹みの内径よりやや小さく、挿入時にやや抵抗があるような寸法である（図３参照）。この脱着器の先端を栓の凹みに差し込み、この部分を支点とし、てこの原理にて栓を容易に外すことができる。
【０００５】  また、請求項２の発明は、脱着器の内部にスプリングと棒がしこまれており、脱着器の後端部の棒を押すことにより、先端部中央から約１ｃｍほどスプリングにより出入りする構造となっており、栓を抜いた直後は脱着器の先端に栓が付いた状態で、後端を押すことにより先端部より棒が出るため栓が脱着器より落ち、手指を汚す事がない（図４参照）。
【発明の効果】
【０００６】  本発明により、検査時試験管の栓を手で直接持って外すことによる手指の負傷、汚染などの不具合はおきず、またスピードアップの効率化を図ることができる。
【実施例】
【０００７】  図１は樹脂製試験管とその栓の断面図で、符号１の栓の凹みを利用し図２の円筒形の先端部の符号７が挿入され、栓の凹み部分を支点とし、てこの原理で外す。また符号７の先端部は挿入時に少し抵抗がある寸法の外径であるため、栓を外した後も図３のように先端に付いたままの状態で残る。【０００８】  栓を外した状態にある図３で、後端部である符号８側の突出している符号４の部分の棒を押し込む事により、符号７の先端部中央より符号４の棒が出てくるため、符号２の栓を直接手を触れず、落とすことができる。また内部にスプリングを仕込んであるため符号４の棒は手を離すと元の位置にもどる。【０００９】  これらの栓脱着器の材料は実施例において、アルミニュウムと金属製のスプリング等で作られている。またプラスチック製としても良い。
【産業上の利用可能性】
【００１０】  本発明の栓脱着器は工業的に生産することが可能であるため、医療産業上の利用可能性を有する。
【図面の簡単な説明】
【００１１】
【図１】  本発明が外そうとする、樹脂製試験管とその栓の断面図である。
【図２】  本発明の栓脱着器の断面図で、ここでは先端部は円筒状になっている。また中央内部にスプリングを装備する。
【図３】  本発明の栓脱着器が栓を外し、先端部に栓が付いた状態の断面図である。
【図４】  本発明の栓脱着器の後端部の棒を押し込み、栓を先端部より落とした状態の断面図である。
【符号の説明】
【００１２】  １      本発明が外そうとする、栓上部中央の円形の凹み
２      本発明が外そうとする、栓
３      樹脂製試験管
４      栓脱着器先端に付いた栓を落とすための棒
５      栓脱着器の本体
６      栓脱着器の中央の棒を定位置に戻すためのスプリング
７      栓の凹みに挿入する、栓脱着器先端部
８      栓脱着器後端部
【図１】
2007050395.tif 000003
【図２】
2007050395.tif 000004
【図３】
2007050395.tif 000005
【図４】
2007050395.tif 000006
(57)【要約】【課題】  現在の手法として、海水魚等の飼育でタンパク質や微細なゴミの除去方法として、水中の装置内で発生させた微細な泡の表面張力と浮力を利用しタンパク質やゴミを除去している。  エアーリフト型タンパク質除去装置の泡を発生させる方法は、エアーポンプより送られた空気を木材より加工したウッドストーンを通すことにより微細な泡を発生する方法を用いているが、腐食により交換が必要である。【解決手段】  セラミックストーンを使うことで腐食による交換が不要になる。【選択図】図１
2007050396.tif 000002
【特許請求の範囲】
【請求項１】
セラミックストーンを使用し、泡を発生させる事を特徴としたエアーリフト型タンパク質除去装置
【発明の詳細な説明】
【技術分野】
【０００１】  この発明は海水魚等の飼育に使用するエアーリフト型タンパク質除去装置の改良に関するものである。
【背景技術】
【０００２】  従来、海水魚等の飼育でタンパク質や微細なゴミの除去方法として、水中に設置してある装置内で微細な泡を発生させ、泡の表面張力と浮力を利用しタンパク質やゴミを除去している。【０００３】  エアーリフト型タンパク質除去装置の泡を発生させる方法は、エアーポンプより送られた空気を木材より加工したウッドストーンを通すことにより微細な泡を発生する方法を用いていた。
【発明の開示】
【発明が解決しようとする課題】
【０００４】  しかしながら、以上の方法によれば、タンパク質除去装置内の水中でウッドストーンを長期使用すると木材が水で腐食し、腐食進行により徐々に泡が大きくなり、能力低下のため交換を余儀なくされる。
そこで、本発明は水による腐食等無く、長期間変化のない泡を発生させる方法を提供することを課題とする。
【発明が解決するための手段】
【０００５】  以上の課題を解決するために、本発明は、泡の発生方法をウッドストーンの代わりにセラミックストーンを使用することを特徴とするエアーリフト型タンパク質除去装置である。
【発明の効果】
【０００６】  本発明のよれば、水による腐食等無いセラミックストーンを使用するため、腐食による交換をすることもなく、長期に渡り性能を維持出来ると共にランニングコストも削減される。
【発明を実施するための最良の形態】
【０００７】  この発明の実施形態を図１に示す。タンパク質除去装置の泡発生部は水中にあるため、水による型くずれや腐食が起こらないように高温度に焼き上げ、また、無数の微細な穴を持つように形作られたセラミックを使用する。【０００８】  タンパク質除去方法の泡の表面張力を有効に使う方法として、大量の微細な泡で、全体の表面積を広げて使用したいため、セラミックの原料も細かいほど微細な泡が発生するので良し。【０００９】  セラミックストーンの形状は図１に示すパイプ内で使用のため、丸形より円柱形もしくは長方形の方が直径をコンパクト化しても泡の発生場所の面積は長さを変えることにより調整出来る。
【実施形態の効果】
【００１０】  この実施形態によれば、水による型くずれや腐食が無く長期使用に耐えられる。
また、原料を選定することにより発生する泡のサイズも任意で作成可能となり、形状を円柱形や長方形にすることにより、直径をコンパクト化しながら長さを変える事により様々なエアー量にも対応出来ことになる。
【図面の簡単な説明】
【００１１】
【図１】この発明の実施形態を示す斜視図である。
【符号の説明】
【００１２】（１）  セラミックストーン部
（２）  接続部
（３）  パイプ
（４）  汚水受けカップ
（５）  エアーパイプ
（６）  エアーチューブ
（７）  エアーポンプ
（８）  タンパク質除去装置取り付け部
（９）  取り付け部ネジ
（１０  水面
（１１）水槽
【図１】
2007050396.tif 000003
(57)【要約】【課題】  冷蔵庫のドア開閉による衝撃が加わったとしても正立状態を維持して倒れにくく、冷蔵庫の収納部にその姿が隠れたとしても、外部から見て判別がつき易い容器を提供する【解決手段】  容器本体と容器に取り付けられる係止片とからなる容器において、係止片は容器本体の軸方向に延び、下端が開放し、容器本体と係止片との間に空隙が形成されていることを特徴とする構成とし、上記係止片の下端は、容器本体の径方向に拡開することを特徴とする構成を採用することができる。また、上記係止片は、容器本体の口頚部に装着される蓋体に連結されていることを特徴とする構成を採用することができ、さらに上記係止片に識別表示部を形成することを特徴とする構成を採用することができる。【選択図】  図１
2007050897.tif 000002
【特許請求の範囲】
【請求項１】
容器本体と容器に取り付けられる係止片とからなる容器において、係止片は容器本体の軸方向に延び、下端が開放し、容器と係止片との間に空隙が形成されていることを特徴とする容器。
【請求項２】
係止片の下端は、容器本体の径方向に拡開することを特徴とする請求項１記載の容器。
【請求項３】
係止片は、容器本体の口頚部に装着される蓋体に連結されていることを特徴とする請求項１または２記載の容器。
【請求項４】
係止片に識別表示部形成することを特徴とする請求項１から３記載の容器。
【発明の詳細な説明】
【技術分野】
【０００１】
本発明は、容器、特に冷蔵庫での保管に適する容器に関するものである。
【背景技術】
【０００２】
容器の正立状態を保持する為に、スタンドを付設した容器が知られている。（特許文献１参照。）
【０００３】
【特許文献１】特開２００４−２９９６９１
【発明の開示】
【発明が解決しようとする課題】
【０００４】
ドレッシング等の調味料を内容物とする容器は、正立状態で冷蔵庫に保管されることが多く、特に冷蔵庫のドア部分の内部に設けられている収納部に並べて保管されることが多い。
【０００５】
従来のようにスタンドを付設した容器では、冷蔵庫内、特にドア部分の内部に設けられている収納部に保管された容器は、冷蔵庫ドア開閉の衝撃により倒れたり、また、外部からみても上記収納部にその姿の一部あるいは殆どが隠されて、外部から見ただけでは、判別がつきにくいといった問題点がある。これは、特に容器が小型化するに従って顕著となる問題である。
【０００６】
本発明は、冷蔵庫のドア開閉による衝撃が加わったとしても正立状態を維持して倒れにくく、冷蔵庫の収納部にその姿が隠れたとしても、外部から見て判別がつき易い容器を提案しようとするものである。
【課題を解決するための手段】
【０００７】
本発明は、上記の課題を解決する為、容器本体と容器に取り付けられる係止片とからなる容器において、係止片は容器本体の軸方向に延び、下端が開放し、容器と係止片との間に空隙が形成されていることを特徴とする構成を有している。
【０００８】
上記係止片の下端は、容器本体の径方向に拡開することを特徴とする構成を採用することができる。
【０００９】
上記係止片は、容器本体の口頚部に装着される蓋体に連結されていることを特徴とする構成を採用することができる。
【００１０】
上記係止片に識別表示部を形成することを特徴とする構成を採用することができる。
【発明の効果】
【００１１】
上記したような構成を有する容器は、冷蔵庫のドア開閉による衝撃が加わったとしても正立状態を維持して倒れにくく、冷蔵庫の収納部にその姿が隠れたとしても、外部から見て判別がつき易い。
【発明を実施するための最良の形態】
【００１２】
以下、本発明の実施形態について、図１から図４を参照して説明する。容器１はプラスチック製であり、内容物を充填する容器本体２と内容物を注出する口頚部３からなる。なお、口頚部３は図１において点線部で示される。口頚部３には図示しないがアンダーカット嵌合によりプラスチック製の蓋体４が装着されており、蓋体４には係止片５が一体成形されている。係止片５は容器１の軸方向に垂直に延びており、その下端が開放されており、容器本体２及び蓋体４との間に空隙６が形成される。係止片５の下端近傍には、係止片５にて係止する際により係止状態を確実にするために空隙６側に凸となる係止凸部７が形成される。
【００１３】
容器１は、図４に示すように、冷蔵庫のドア部分内部に形成された収納部を区画する壁部８に、係止片５にて係止し、容器１を正立状態に保持する。このとき、容器１と係止片５との間の空隙６に、壁部８が位置し、係止凸条７にて壁部８にさらに強く固定される。従って、冷蔵庫のドア開閉時に、容器１に衝撃が加わったとしても、容易に容器１が倒れることがない。また、このとき、容器１は壁部８にその姿のほとんどが隠れているが、係止片５は壁部８からその姿をあらわしている。従って、係止片５の容器１側の反対の面９に、字、色、模様等を印字、刻印、あるいはラベル貼付して識別表示部を形成することにより内容物や内容物の消費期限等の表示をして、容器１が壁部８にその姿を隠していても、一目で識別することが可能になる。
【００１４】
本実施例では、容器１はプラスチック製のボトルであるが、ガラスや金属等を材料としても良く、ボトル以外のチューブや袋などであっても構わない。また蓋体４もプラスチック製であるが、金属製としても構わず、容器１との嵌合もアンダーカット嵌合の他にねじ嵌合等であっても構わない。また、係止片５の下端が容器１の径方向に拡開可能に弾性変形可能であると、壁部８の厚さ寸法の違いに対応することができる。さらに、係止片５は蓋体４から容器本体２の高さ方向中間辺りまで延びているが、口頚部３下端（蓋体４下端）辺りまで短くしても良いし、逆にさらに長く延ばして形成しても構わない。
【産業上の利用可能性】
【００１５】
本発明は、冷蔵庫のドア開閉による衝撃が加わったとしても正立状態を維持して倒れにくく、冷蔵庫の収納部にその姿が隠れたとしても、外部から見て判別がつき易い容器を提供するものである。
【図面の簡単な説明】
【００１６】
【図１】実施形態に係る容器の正面図である。
【図２】図１の容器の側面図である。
【図３】図１の容器の平面図である。
【図４】図１の容器の使用状態を示す図面である。
【符号の説明】
【００１７】
１    容器
２    容器本体
３    口頚部
４    蓋体
５    係止片
６    空隙
７    係止凸条
８    壁部
【図１】
2007050897.tif 000003
【図２】
2007050897.tif 000004
【図３】
2007050897.tif 000005
【図４】
2007050897.tif 000006
(57)【要約】【課題】    従来の介護服（寝巻き・パジャマ）では、前開き又は、部分開き及び全開で利用できるものの、腕・足に無理がかかり介護人及び被介護人に負担がありこれを解決することを課題とする。【解決手段】  介護服を前身頃（１）と後身頃（２）をボタン等で分解できることにより、この課題を解決する。【選択図】図３
2007284850.tif 000002
【特許請求の範囲】
【請求項１】
前身頃（１）と後身頃（２）に分け接合部（３）をボタン等で分解できる介護服
【発明の詳細な説明】
【技術分野】
【０００１】  本発明は、介護服に関するものであり、介護服を前身頃（１）と後身頃（２）に分解できるようにしたものである。
【背景技術】
【０００２】  従来から、介護服は、前開き又は、部分開き及び全開で利用されているこの例として、非特許文献１に開示されているものがある。
【非特許文献１】  日本エンゼル株式会社  「エンゼルの介護用品」  平成１７年４月発行  頁６５〜６６
【発明の開示】
【発明が解決しようとする課題】
【０００３】  本発明は、従来の介護服（寝巻き・パジャマ）では、前開き又は、部分開き及び全開で利用できるものの、腕・足に無理がかかり介護人及び被介護人に負担がありこれを解決することを課題とする。
【課題を解決するための手段】
【０００４】  この課題を解決するため本発明は、介護服を前身頃（１）と後身頃（２）に接合部（３）を設けボタン等で分解できるところを特徴とする介護服である。
【発明の効果】
【０００５】  本発明により、介護で介護服の取り替えで、前身頃（１）と後身頃（２）の部分取り替えが可能になり、全開及び部分的（５）に開くこともでき注射等の処置が楽にできるようになった。介護人及び被介護人ともに身体的負担が軽減した。
【発明を実施するための最良の形態】
【０００６】  以下、本発明の実施形態について説明する。
図１は、被介護人（６）に、介護服の前身頃（１）と後身頃（２）を装着しているところ。【０００７】  図３は、介護服の下半身の前身頃（１）と後身頃（２）をボタンを外して、半開し介護処置を実施しようとしているところである。
【図面の簡単な説明】
【０００８】
【図１】  装着している介護服の平面図
【図２】  前身頃（１）と後身頃（２）を接合部（３）と、そのボタン（４）の介護服の一部拡大図である。
【図３】  下半身の前身頃（１）と後身頃（２）を分離し介護処置中の介護服斜視図である。
【符号の説明】
【０００９】  １      前身頃の介護服
２      後身頃の介護服
３      接合部の介護服
４      接合部ボタンの介護服
５      接合部の部分的分離の例示をする介護服
６      被介護人
【図１】
2007284850.tif 000003
【図２】
2007284850.tif 000004
【図３】
2007284850.tif 000005
(57)【要約】【課題】乳幼児が成長するにつれ、行動範囲が広がってくると同時に、乳幼児が不意に転倒し、頭部を強打する事は、親にとって悩みの一つであったので、これを防止するための保護具を提供すること。【解決手段】気体密閉袋２の襟が、乳幼児６の後頭部から側頭部を囲むように覆っており、その気体密閉袋２に腕を通して着用し、そこへ、乳幼児６の身体の大きさにサイズ調整可能な締め付け部材３を使い、上半身に完全に固定させる事で頭部を保護する。【選択図】図３
2007284848.tif 000002
【特許請求の範囲】
【請求項１】
気体密閉袋の襟の高さが、乳幼児の頭部が隠れるくらいの高さがあり、転倒時に乳幼児の頭部を保護することを特徴とする乳幼児頭部保護具。
【請求項２】
乳幼児の後頭部から側頭部を、囲むように覆っている気体密閉袋に、乳幼児の身体の大きさにサイズ調整可能な締め付け部材を有することを特徴とする［請求項１］に記載の乳幼児頭部保護具。
【発明の詳細な説明】
【技術分野】
【０００１】この発明は乳幼児の後方転倒時の後頭部、側頭部への衝撃防止、頭部を保護する乳幼児頭部保護に関するものである。
【背景技術】
【０００２】従来は乳幼児が後方転倒時、後頭部のみを保護する事を主とし、側頭部の保護は考慮されていなかった。
従来、この種の保護具は背負うものしか無く、保護具に付けられたバンドをよほど乳幼児に締め付けないと、転倒時に保護具がずれてしまうものであった。更に、頭部への衝撃緩和を重視するあまり、保護部材が厚いものがほとんどであった。
【発明が解決しようとする課題】
【０００３】乳幼児が成長するにつれ、行動範囲が広がる、と同時に、転倒して頭部が床に衝突することも出てくる。近年、核家族が進むにつれ、親が一人で一日中、子供から目を離さないということは不可能である。そのため、乳幼児の不意の転倒などから頭部を保護するものが必要であった。
【課題を解決するための手段】
【０００４】気体密閉袋２の襟が、乳幼児６の後頭部から側頭部を囲むように覆っており、その気体密閉袋２に腕を通して着用し、そこへサイズ調整可能な締め付け部材を付け、サイズ調整して、上半身に完全に固定させる事で、頭部を保護する。
【発明実施の形態】
【０００５】以下、発明の実施の形態を図１〜図３に基づいて説明する。
図１の気体密閉袋２の襟の高さを表すＨは、乳幼児Ａの頭部が隠れるくらいの高さを有する。
【０００６】図１〜図２の気体密閉袋２の幅を表すＷは、乳幼児６の側頭部が隠れるくらいの幅を有する。
【０００７】図１〜図２の長方形の穴５は、左右均等にしてある。
【０００８】また、この気体密閉袋２には図１〜図３にあるようなサイズ調整可能な締め付け部材３が付属している。それを使って身体に完全に固定させる。
【０００９】もちろん、サイズ調整可能な締め付け部材３を使用しなくても、形状により、頭部の保護は可能である。
【０００１０】さらに、図２、図３にあるように、気体密閉袋２の上部に、空気等を出入りさせる気体注入弁４を設けている。
【発明の効果】
【００１１】本発明は上記のように構成したので概略以下のような効果を有する。
（１）気体密閉袋の襟が、頭部を囲むように高さがあるので、転倒時の後頭部・側頭部への衝撃が無い。
（２）気体密閉袋の中に、気泡（緩衝材に使われるエアーシートのようなもの）が入っているので、転倒時、気体の弾力により頭部への衝撃を吸収できた。
（３）衣服のように腕を通して着用し、サイズ調整可能な締め付け部材を付ける事で、完全に固定出来るのでズレない。
（４）頭部が収まる周囲は、空間に余裕があるので、邪魔にならない。
（５）素材により非常に軽く、コストも安く出来るし、薄くも出来る。
（６）この発明によって、子供は怪我もなく、自由に行動ができ、親も余裕をもって家事をする事が出来るので、一石二鳥である。
（７）本考案の後頭部側頭部保護具１は、そのサイズを大きく作成する事で、お年寄りから身障者まで、幅広く適用できる。
【図面の簡単な説明】
【図１】本発明の乳幼児頭部保護具の正面図である。
【図２】背面図である。
【図３】斜視図である。
【符号の説明】
１乳幼児頭部保護具の全体図
２気体密閉袋
３サイズ調整可能な締め付け部材
４気体注入口
５乳幼児が腕を通す長方形の穴
６乳幼児
Ｈ高さを表す
Ｗ幅を表す
【図１】
2007284848.tif 000003
【図２】
2007284848.tif 000004
【図３】
2007284848.tif 000005
(57)【要約】【課題】  ボタンホールを誰でも簡単に取り付け易くするための、ボタンホールを提供する。【解決手段】  長方形のアイロンテープの中央に切れ目を設け、その左右の裏側に折り返しする布を設け、ボタンホールを作りたい部分の布に縦の切れ込みを入れボタンホールの穴を設ける。ボタンホールの穴部分にアイロンテープの左右の折り返し部分の布を差し込み左右に折り返し、表と裏にアイロンの熱を加え布に貼り付けることを特徴とするボタンホール。【選択図】図１
2007284849.tif 000002
【特許請求の範囲】
【請求項１】
長方形状のアイロンテープの中央に切れ目を設け、その左右の裏側に折り返しする布を設け、ボタンホールを作りたい部分の布に縦の切れ込みを入れボタンホールの穴を設け、ボタンホールの穴部分にアイロンテープの左右の折り返し部分の布を差し込み左右に折り返し、表と裏にアイロンの熱を加え布に貼り付けることを特徴とするボタンホール。
【発明の詳細な説明】
【技術分類】
【０００１】  本発明は、ボタンホールをミシンを使わずに取り付けるための、ボタンホールに関するものである。
【背景技術】
【０００２】  従来は、ボタンホールはミシンを使用し取り付けるものだった。
【発明の開示】
【発明が解決しようとする課題】
【０００３】    そのために次のような問題点があった。
ミシンが無い場合や、ミシンを上手に扱えない人には取り付けられないものだった。
本発明は、以上の問題点を解決するためになされたものである。
【課題を解決するための手段】
【０００４】  長方形のアイロンテープの中央に切れ目を設け、その左右の裏側に折り返しする布を設けボタンホールを作りたい部分の布に縦の切れ込みを入れボタンホールの穴を設ける。
ボタンホールの穴部分にアイロンテープの左右の折り返し部分の布を差し込み、左右に折り返し表と裏にアイロンの熱を加え布に貼り付ける。
以上を特徴とするボタンホールである。
【発明の効果】
【０００５】  ミシンを使わなくてもよいので、手間や面倒が省けアイロンの熱で布に貼り付けるだけでよいので、誰にでも簡単にボタンホールを作る事ができる。
【発明を実施するための最良の形態】
【０００６】  以下、本発明の実施の形態について説明する。
（イ）アイロンテープ（１）の中央に切れ目（２）を設ける。
（ロ）切れ目（２）の左右の裏側に折り返す部分の布（３）を設ける。
本発明は以上のような構造で、これを使用するときは、ボタンホールを作りたい部分の布に縦に切れ込みを入れボタンホールの穴（４）を設ける。ボタンホールの穴（４）部分に、アイロンテープ（１）の左右の裏側に折り返す部分の布（３）を差込み、左右に布を折り返し表側と裏側に、アイロンをあて熱を加え布に貼り付ける。
【図面の簡単な説明】
【０００７】
【図１】本発明の表側の斜視図
【図２】本発明の裏側の斜視図
【図３】本発明の使用状態を示す斜視図
【符号の説明】
【０００８】      １  アイロンテープ
２  切れ目
３  折り返す部分の布
４  ボタンホールの穴
【図１】
2007284849.tif 000003
【図２】
2007284849.tif 000004
【図３】
2007284849.tif 000005
(57)【要約】【課題】本発明は、都市に残された中小河川の水域を利用しヒートアイランド現象を緩和させる手段の提案にある。【解決手段】本発明は、河川に設ける堰であって、平常時には堰として水を貯めることにより水面の面積を増加させ、増水時には流水の圧力によりその角度を変化せしめることで流水の抵抗を減じ、平常時には元の角度に戻る機能を有する河川用堰である。動力を使用することなく、流水の圧力を利用し、堰の角度を変化させる。【選択図】図1
2007284898.tif 000002
【特許請求の範囲】
【請求項１】
河川に設ける堰であって、平常時には堰として水を貯めることにより水面の面積を増加させ、増水時には流水の圧力によりその高さを変化せしめることで流水の抵抗を減じ、平常時には元の角度に戻る機能を有する河川用堰。
【発明の詳細な説明】
【技術分野】
【０００１】
本発明は、都市のヒートアイランド現象を低減させる技術に属する。
【背景技術】
【０００２】
都市化が進むとともに、夏場の都市部の温度が周辺の緑地帯に比較し高くなる現象が著しく進んできている。特に東京などの大都市では、過去の中小河川の埋め立て、東京湾の埋め立てなどの改造計画により開放水面が極めて小さくなっているため、さらにその影響は大きい。
【発明の開示】
【発明が解決しようとする課題】
【０００３】
本発明は、都市に残された中小河川の水域を利用しヒートアイランド現象を緩和させる手段の提案にある。
【課題を解決するための手段】
【０００４】
本発明は、河川に設ける堰であって、平常時には堰として水を貯めることにより水面の面積を増加させ、増水時には流水の圧力によりその高さを変化せしめることで流水の抵抗を減じ、平常時には元の角度に戻る機能を有する河川用堰である。動力を使用することなく、流水の圧力を利用し、堰の高さを変化させる。
【発明の効果】
【０００５】
本発明は、平常時には堰として水を貯めることにより水面の面積を増加させ、増水時には流水の圧力によりその高さを変化せしめることで流水の抵抗を減じ、平常時には元の角度に戻る機能を有するため以下の効果がある。
１． 河川の水面面積が増加するため夏場の水の蒸発量が増え、ヒートアイランド現象の軽減となる。
２． 水の圧力を利用して堰の高さを変えるため、動力の必要がない。
【発明を実施するための最良の形態】
【０００６】
以下本発明を図により詳細に説明する。
図1は本発明の概念図である。図1ａは本発明が適用できる都市型河川の一例であり、図１ｂは上記河川に本発明を適用した河川の断面の状態を示している。図1ｃは、本発明を適用した河川の流れ方向を示している。
【０００７】
本発明の要旨は、河川に小さな堰を複数形成することで河川の流水面積の増加を図り、夏場のヒートアイランド減少を軽減させることにある。
図２〜図６に、増水時には流水の圧力によりその高さを変化せしめることで流水の抵抗を減じ、平常時には元の高さに戻る機能を有する河川用堰につき説明する。以下可動堰と称する。図はいずれも可動堰の断面を示している。
図２は堰の最下部に重心を置いたため倒れると元に戻る起上り小法師状の可動堰であり、最下部の形状に合わせた容器内に納められている。重心は水のない状態では上流側に少し傾くようにしておくことが好ましい。
増水して水の圧力が増すと図２ｂのように傾き、増水した水を下流に流すようになっている。水量が減少するとまたもとの位置に自動的に戻る。
【０００８】
図３は、可動堰の高さ変化にばねを用いた例である。図３ａは、ばねが縮み、可動堰が立っている状態を示している。図３ｂは、ばねが水の圧力を受け伸び、可動堰が傾いた状態を示している。
図４も、可動堰の高さ変化にばねを用いた例である。可動堰の支点に板ばねを使用している。図４ａは通常時に可動堰が立っている状態を示しており、図４ｂは増水時に可動堰が傾いた状態を示したものである。
【０００９】
図５は、可動堰の高さ変化にぜんまいを使用したものである。図５ａは、通常時ぜんまいが縮み、可動堰が立っている状態を示しており、図５ｂは、水圧でぜんまいが伸び、可動堰が傾いた状態を示している。
【００１０】
図６は、可動堰の高さ変化に空気袋を使用したものである。図６ａは、通常時空気袋が丸く膨らんだ状態を示しており、図６ｂは、水圧により流れ方向に扁平に歪み堰の高さが減少した状態を示している。
可動堰の高さは、その高さそのものが増減しても、その角度の変化により高さが増減するものであってもよい。
【００１１】
本発明の可動堰は、固定した堰の上に可動堰を設けてもよい。図１に示すような河川においては、常時流れている水の一部を固定した堰で堰き止め、さらに固定した堰の上に可動堰を設けることでも本発明の効果を発揮できる。
【図面の簡単な説明】
【００１２】
【図１】本発明の概念図である。
【図２】起上り小法師を使用した可動堰の概念図である。
【図３】ばねを使用した可動堰の概念図である。
【図４】ばねを使用した他の可動堰の概念図である。
【図５】ぜんまいを使用した可動堰の概念図である。
【図６】空気袋を使用した可動堰の概念図である。
【符号の説明】
【００１３】
１  可動堰
２  起上り小法師
３  ばね
４  板ばね
５  ぜんまい
６  空気袋
【図１】
2007284898.tif 000003
【図２】
2007284898.tif 000004
【図３】
2007284898.tif 000005
【図４】
2007284898.tif 000006
【図５】
2007284898.tif 000007
【図６】
2007284898.tif 000008
(57)【要約】【課題】本発明は、都市に残された中小河川の水域を利用しヒートアイランド現象を緩和させる手段の提案にある。【解決手段】河川の上流より取水し、当該河川の傾斜を利用してコンクリートで形成された堤防のある下流域に導き、有孔管にて堤防に沿って水滴を散水することを特徴とする堤防散水施設である。【選択図】図1
2007284897.tif 000002
【特許請求の範囲】
【請求項１】
河川の上流より取水し、当該河川の傾斜を利用してコンクリートで形成された堤防のある下流域に導き、有孔管にて堤防に沿って散水することを特徴とする堤防散水施設。
【発明の詳細な説明】
【技術分野】
【０００１】
本発明は、都市のヒートアイランド現象を低減させる技術に属する。
【背景技術】
【０００２】
都市化が進むとともに夏場の温度が周辺の緑地帯に比較し高くなる減少が著しく進んできている。特に東京では、過去の中小河川の埋め立て、東京湾の埋め立てなどの改造計画により開放水面が極めて小さくなっているため、さらにその影響は大きい。
【発明の開示】
【発明が解決しようとする課題】
【０００３】
本発明は、都市に残された中小河川の水域を利用しヒートアイランド現象を緩和させる手段の提案にある。
【課題を解決するための手段】
【０００４】
本発明は、河川の上流より取水し、当該河川の傾斜を利用してコンクリートで形成された堤防のある下流域に導き、有孔管にて堤防に沿って散水する堤防散水施設である。動力を使用せず、取水および水の移送は自然の河川の傾斜を利用して、散水は堤防に沿って取り付けた有孔管にて散水する。
【発明の効果】
【０００５】
本発明は、河川の上流より取水し、河川の自然の傾斜を利用して当該河川の下流域の堤防沿いに有孔管にて堤防に沿って散水するため以下の効果がある。
１． 有孔管からの散水により堤防表面が濡れるため気化熱により気温が低下する。
２． 河川の傾斜を利用して水を導き、散水するため動力の必要がない。
【発明を実施するための最良の形態】
【０００６】
以下本発明を図により詳細に説明する。
図1は河川の傾斜を示す河川の底面１および堤防面２および取水部３および有孔管４を示したものである。河川の上流域で取水し、下流域のコンクリート、あるいは岩ブロックなどで形成された堤防のある流域にまで配管にて移送する。配管内を水が自然に流れる程度の傾斜を設ける。
【０００７】
堤防のある流域まで水を移送した後、有孔管にて堤防面に散水する。
水を移送する配管は、その材質は問わない。都市部では河川の傾斜は小さくなるため、抵抗の少ない樹脂製配管など適宜使用することが好ましい。
【図面の簡単な説明】
【０００８】
【図１】本発明の堤防散水施設の概念図である。
【符号の説明】
【０００９】
１  河川の底面
２  堤防面
３  取水部
４  有孔管
【図１】
2007284897.tif 000003
(57)【要約】【課題】  衣類のフード着用時に、左右および後方視界確保の目的で、フードと頭部の動きを連動させる、フード方向指示具を提供する。【解決手段】  Ｕ字状のバーの先端に、耳に掛ける湾曲を設け、湾曲部の先より更にまっすぐ延長し、その先にフックを設け、衣類のフード部分の縁にフックを掛けることにより、頭部とフードの動きに連動性を持たせ、首の左右回旋時の視界を確保することを特徴とするフード方向指示具。【選択図】図１
2007284851.tif 000002
【特許請求の範囲】
【請求項１】
Ｕ字状のバーの先端に、耳に掛ける湾曲を設け、湾曲部の先より更にまっすぐ延長し、その先にフックを設け、衣類のフード部分の縁にフックを掛けることにより、頭部とフードの動きに連動性を持たせ、首の左右回旋時の視界を確保することを特徴とするフード方向指示具。
【請求項２】
Ｕ字状のバーの先端に、耳に掛ける湾曲を設け、湾曲部の先より更にまっすぐ延長し、その先にクリップを設け、衣類のフード部分の縁をクリップで挟む事により、頭部とフードの動きに連動性を持たせ、首の左右回旋時の視界を確保することを特徴とするフード方向指示具。
【発明の詳細な説明】
【技術分野】
【０００１】  本発明は、衣類のフード着用時に、左右および後方視界確保のため、フードと頭部の動きを連動させる、フード方向指示具に関するものである。
【背景技術】
【０００２】  従来、衣類のフード着用時は、首の左右回旋時に、頭部とフードが連動せず、左右及び後方の視界が不良となる。
視界不良を改善のために指などでフードを引っ張っていた。
【発明の開示】
【発明が解決しようとする課題】
【０００３】  そのために、次のような問題点があった。
（イ）指などを使うために、両手が塞がっている時は、体ごとその方向を向かなければならなかった。
（ロ）片手を使用するため、フードを多用する雨天での自転車やバイクの運転時に、片手運転などを強いられ、危険であった。
（ハ）野球帽のひさしなどを利用することなどがあるが、帽子自体が頭部で回転し、視界確保の確実性を欠いた。
本発明は以上の問題点を解決しようとするものである。
【問題を解決するための手段】
【０００４】  後頭部を通り、両耳に引っ掛ける湾曲を持たせたバーで、頭部とバーに連動性を持たせる。
そのバーに、更に直線のフック支持棒、またはクリップ支持棒を取り付け、その先にフックまたはクリップを設ける。
そのフックまたはクリップをフードの左右の縁に引っ掛け、あるいは挟み、固定し、Ｕ字バーとフードの連動性を持たせる。
以上を特徴とする、フード方向指示具である。
【発明の効果】
【０００５】  本発明は、衣類フード着用時に、頭部とフードの動きを連動させ、左右及び後方視界を確保するため、フードによる視界制限が無い。
したがって、ただでさえ視界不良な雨天時などに交通上の危険を減らす効果がある。
【発明を実施するための最良の形態】
【０００６】  以下、本発明の実施の形態を説明する。
（イ）後頭部に沿うＵ字状バー（１）の両端に、耳に引っ掛けるための湾曲（２）を設ける。
（ロ）湾曲（２）の先に直線のフック、クリップ支持棒（３）を取り付け、先端（４）にフック（５）またはクリップ（６）をＵ字状バー（１）と逆の向き（７）につける。
本発明は以上の構成よりなっている。
本発明を使用するときは上記のフード方向指示具を後頭部廻りに廻し、湾曲（２）を両耳に装着する。
フードの縁に紐が入っているタイプや厚手の生地の時には、衣類のフード（８）をかぶり、フードの左右の縁（９）に、フック（５）を掛ける。
フード自体が薄手の生地のときには、衣類のフード（８）をかぶり、フードの左右の縁（９）を、クリップ（５）で挟む。
この結果、頭部とＵ字状バー（１）、Ｕ字状バー（１）とフード（８）に連動性が生まれ、フード（８）による視界制限を防ぐ。
【図面の簡単な説明】
【０００７】
【図１】本発明の斜視図
【図２】本発明の分解斜視図
【図３】本発明の装着状態を示した斜視図
【図４】本発明の使用状態を示した斜視図
【符号の説明】
【０００８】        １  Ｕ字状バー
２  湾曲
３  フック、クリップ支持棒
４  先端
５  フック
６  クリップ
７  逆の向き
８  フード
９  フードの左右の縁
【図１】
2007284851.tif 000003
【図２】
2007284851.tif 000004
【図３】
2007284851.tif 000005
【図４】
2007284851.tif 000006
(57)【要約】【課題】  本発明はドレスの乱れを無くしたり、ドレスの乱れを軽減させるファンデーション下着を開発することである。【解決手段】  スリーインワン、ウェストニッパー等の胴や背中や脇の部分を覆うファンデーション下着の人体と密着するの面とは反対側の面に滑り止め部材を点状または線状または全面に接着する。【選択図】図１
2007284856.tif 000002
【特許請求の範囲】
【請求項１】
スリーインワンやウェストニッパー等の胴や背中や脇の部分を覆うファンデーション下着の人体と密着する面とは反対側の面に滑り止め部材を接着した事を特徴とするファンデーション下着。
【請求項２】
スリーインワンやウェストニッパー等の胴や背中や脇の部分を覆うファンデーション下着の人体と密着する面とは反対側の面に滑り止め部材を部分的に接着した事を特徴とする請求項１に記載のファンデーション下着。
【請求項３】
スリーインワンやウェストニッパー等の胴や背中や脇の部分を覆うファンデーション下着の人体と密着する面とは反対側の面に、滑り止め効果のある生地を人体と密着するの面とは反対側の面に滑り止め効果のある面が向くように使用していることを特徴とする請求項１、請求項２に記載のファンデーション下着。
【請求項４】
人体と密着する面に滑り止め樹脂が付いてあるスリーインワンやウェストニッパー等の胴や背中や脇の部分を覆うファンデーション下着の人体と密着する面とは反対側の面に滑り止め部材を部分的に接着した事を特徴とする請求項１、請求項２、請求項３に記載のファンデーション下着。
【請求項５】
人体と密着する面に滑り止め効果のある生地やレースを付けてあるスリーインワンやウェストニッパー等の胴や背中や脇の部分を覆うファンデーション下着の人体と密着する面とは反対側の面に滑り止め部材を部分的に接着した事を特徴とする請求項１、請求項２、請求項３に記載のファンデーション下着。
【発明の詳細な説明】
【発明の詳細な説明】
【発明の分野】
【０００１】  この発明は、ファンデーション下着に関する。
【背景技術】
【０００２】  既存しているスリーインワン等のファンデーション下着ではドレスの着付の乱れを無くしたり、軽減させるファンデーション下着が存在しない為、ドレスを着用後、数分間行動をするとドレスの着付は乱れてしまっていた。特に肩紐の無いストラップレスタイプのドレスは着用後の乱れ方が激しくドレスがズレ落ちたりする為、お直しを頻繁に行ったりしなければならなく多くの女性は悩まされていた。【０００３】  また直接ファンデーション下着をドレスに縫製して対応する方法もあるがレンタル衣装ではドレスに縫製する対応は出来なかった。またドレスとの縫製が可能な場合も結婚披露宴時等はお色直しの度にドレスとの縫製を解き、新たな着替用のドレスに縫製しなければならず非常に手間で時間の掛かる作業であった為、ファンデーション下着をドレスに縫製しなくても対応可能なファンデーション下着が求められていた。
【発明の課題】
【０００４】  本発明はドレスの着付の乱れを無くしたり、軽減させるファンデーション下着を開発することである。
【課題の解決手段】
【０００５】  上記課題を解決するために、本発明は、スリーインワン、ウェストニッパー等の胴や背中や脇の部分を覆うファンデーション下着の人体と密着するの面とは反対側の面に滑り止め部材を接着する。
【実施の形態】
【０００６】  本発明の実施の形態の一例を添付図面に基いて説明する。
【０００７】  図１に示すようにスリーインワンの胴の部分、脇の部分に滑り止め部材を点状に接着する。滑り止め部材を接着する箇所はカップ部や胴や背中や脇等何処でも構わないが、特にドレスの圧力が集中し、また着用後スリーインワンがドレスの重みで変形しない脇や脇の周りの部分に接着することが望ましい。滑り止め部材の形状や形態は種々のものが採用され得、特に限定されるものではない。例えば図２のように波状に滑り止め部材を接着しても構わないし、スプレー等で霧状に滑り止め部材を吹き付けても構わない。また異物としての違和感がない事や滑り止め効果を総合的に考えると滑り止め部材の厚みは５０ミクロン〜２０００ミクロンなら構わないが特に１００ミクロンから１０００ミクロンが好ましい。硬さは少々固くても構わないが、特に人間の手で力を加えると簡単に変形できる位の硬さのゲル状物又は樹脂が望ましい。また滑り止め材質はシリコン樹脂が最も望ましいが、ラテックスやポリウレタン樹脂、アクリル樹脂、オレフィン樹脂を用いても構わないし、それに限定されるものではない。滑り止め部材はカブレ等のない材質で、さらに滑り止め部材は長期間の使用に耐えるものでなければならない。また滑り止め部材の代わりに特開２００２−１１５１５６の様な滑り止めの生地状の部材を人体と密着するの面とは反対側の面に滑り止め効果のある面が向くように接着し使用してもかまわない。また人体の胴の部分を覆うファンデーション下着或いは人体の胴の一部分を覆うファンデーションであればスリーインワンの代わりに例えばウェストニッパー、ロングブラジャー、ビスチェ、ハイウェストガードル等に滑り止め部材を接着しても構わない。またそれらのファンデーションの人体と接する面にも滑り止め部材を付けると更にドレスのズレや乱れの防止効果を発揮することができる。但しその場合、人体と接する面には特に人肌が被れにくい滑り止め部材を使用しなければならない。
【発明の効果】
【０００８】  本発明のファンデーション下着を着用するとドレスがズレ落ちることも無くドレスの着付の乱れが軽減される為、ドレスにファンデーション下着を縫製する必要が無くなり、お色直しの度にドレスとの縫製を解き、着替のドレスと新たに縫製する手間が省けるようになった画期的なファンデーション下着を開発することが出来た。
【図面の簡単な説明】
【０００９】
【図１】  この発明のファンデーション下着の一例のスリーインワンの斜視図
【図２】  この発明のファンデーション下着の一例のウェストニッパーの斜視図
【符号の説明】
【００１０】  １  滑り止め部材
２  スリーインワン
３  ウェストニッパー
【図１】
2007284856.tif 000003
【図２】
2007284856.tif 000004
(57)【要約】      （修正有）【課題】ペットボトルを逆さまに立てて置くと転倒し易く、食器乾燥機では内部に水滴が残る場合が多い。そこでペットボトルが安定した状態で自然に内部の水滴が落下し、乾燥させるケースを提供する。【解決手段】支持台１と支持容器２で構成され、また分解清掃も出来る。支持台１はペットボトル洗浄後の水滴の受け皿となる。支持容器２は４つの固定枠で形成され、各枠の上部は開放する。各枠の底中央部に４０φの穴を設け、洗浄したペットボトルを上部から吸い口が下になるよう挿入し内部水滴が自然落下し乾燥させる。また固定枠でペットボトルが安定するため乾燥後も保管ケースとしても使用できるペットボトル容器乾燥ケース。【選択図】図１
2007284142.tif 000002
【特許請求の範囲】
【請求項１】
洗浄したペットボトルが固定枠の中で安定した状態で内部水滴が自然落下し乾燥させることを特徴とした容器乾燥ケース。
【請求項２】
支持台１には皿となる底板が付くため、ペットボトル洗浄後の水滴を溜める皿となり、流し台以外の場所にも置くことが出来る。
【請求項３】
ペットボトル容器乾燥ケースは、支持台１と支持容器２に分解できるため細部まで洗浄でき清潔にできる。
【請求項４】
ペットボトル容器乾燥ケースは、乾燥中吸い口が台や枠に触れないため清潔に自然乾燥がきる。
【発明の詳細な説明】
【発明の詳細な説明】
【技術分野】
【０００１】この発明は、ペットボトルが転倒しない安定した状態で内部水滴を自然に落下させて乾燥させるケースの形状に関する。
【背景技術】
【０００２】従来のペットボトルの水滴を除くには、逆さまに立てて自然に乾燥させるケースはなく、流し台の片隅に置くか、食器乾燥機などで一緒に乾燥させるかである。
【発明が解決しようとする課題】
【０００３】以上の技術によれば、ペットボトルを逆さまに立てて置くと転倒し易く、食器乾燥機では内部に水滴が残る場合が多い。
そこで、この発明はペットボトルが安定した状態で自然に内部の水滴が落下し、乾燥させるケースを提供することを課題とする。
【課題を解決するための手段】
【０００４】この容器乾燥ケースは、図面２に示す支持台１と支持容器２で構成され、また分解清掃も出来る。支持台１はペットボトル洗浄後の水滴の受け皿となる。支持容器２は４つの固定枠で形成され、各枠の上部は開放する。各枠の底中央部に４０φの穴を設け、洗浄したペットボトルを上部から吸い口が下になるよう挿入し内部水滴が自然落下し乾燥させる。
【発明の効果】
【０００５】ペットボトルが転倒することなく安定した状態で水滴が支持台に溜まるため、置き場所は自由である。
支持台１は側面を広く開放しているため、風通しが良くなり自然乾燥が速くなる。ペットボトル容器乾燥ケースは、５００ｍｌや３５０ｍｌのペットボトルを１度に４本も自然乾燥させることが出来る。乾燥後も保管ケースとしても使用できる。
ペットボトルをリサイクルごみとして処理する場合、回収業者または自冶体は内部洗浄乾燥を理想とするための簡易乾燥用としても利用できる。
【発明を実施するための最良の形態】
【０００６】このペットボトル容器乾燥ケースの素材はポリプロピレン製が理想である。
【実施形態の効果】
【０００７】この実施形態によれば、ポリプロピレンは、工場での成型が容易であり、また耐熱性にも優れている。
【他の実施形態】
【０００８】図１の実施形態は、ケースを大きくすることにより２Ｌサイズのペットボトルを乾燥することもできる。
【図面の簡単な説明】
【０００９】
【図１】  斜視図  乾燥使用形態図
【図２】  分解図
【図１】
2007284142.tif 000003
【図２】
2007284142.tif 000004